(57)【要約】【課題】本発明の目的は、外出の途中で脱いだ上着を、手の束縛なしに、また、型崩れの虞なしに持ち運ぶことができるための洋服の型崩れ防止具を提供することにある。【解決手段】左右二つ折りにした上着の身頃及び袖の部分の挿通が可能な幅のスリット３が形成され、内部に左右一対の肩パッド部分を収容するための収容空間７を有する角筒状体の洋服の型崩れ防止具１を得た。【選択図】図１
2010194126.tif 000002
【特許請求の範囲】
【請求項１】
洋服の肩パッド付の上着を型崩れ防止状態に保持する防止具であって、左右二つ折りにした上着の身頃及び袖の部分の挿通が可能な幅のスリットが形成され、内部に左右一対の肩パッド部分を収容するための収容空間を有することを特徴とする洋服の型崩れ防止具。
【請求項２】
前記スリットは、一端側が開口された有底筒状体の側面に、前記開口側端部から切り欠かれて形成されていることを特徴とする請求項１に記載の洋服の型崩れ防止具。
【請求項３】
前記スリットは、筒状体を半割とした一対の半割体の一方の端部をヒンジで連結すると共に、前記半割体のそれぞれの他方の端部に凹部を形成し、その凹部が閉じられて形成されたことを特徴とする請求項１に記載の洋服の型崩れ防止具。
【請求項４】
前記スリットの長手方向の内端には、長手方向の滑りを許容し、長手方向と直交する方向の滑りを防止する滑り防止手段が設けられていることを特徴とする請求項１ないし３のうちいずれか一項に記載の洋服の型崩れ防止具。
【請求項５】
洋服の肩パッド付の上着を型崩れ防止状態に保持する防止構造を備えた鞄であって、前記鞄の側板の内側に３面からなる第２側板を設け、その第２側板と前記側板とにより、左右一対の肩パッド部分を収容するための収容空間が形成され、また、前記側板には左右二つ折りにした上着の身頃及び袖の部分の挿通が可能な幅のスリットが形成され、前記収容空間と前記スリットとが前記鞄の端側板において開口していることを特徴とする洋服の型崩れ防止構造を有する鞄。
【請求項６】
前記スリットの長手方向の内端には、長手方向の滑りを許容し、長手方向と直交する方向の滑りを防止する滑り防止手段が設けられていることを特徴とする請求項５に記載の洋服の型崩れ防止構造を有する鞄。
【発明の詳細な説明】
【技術分野】
【０００１】
本発明は、洋服の上着の型崩れ防止のための防止具及び防止構造を有する鞄に係り、特には上着の肩パッド部分の型崩れを防止する携帯用の洋服の型崩れ防止具及び洋服の型崩れ防止構造を有する鞄に関する。
【背景技術】
【０００２】
背広等の洋服を着て外出した際、脱いだ上着の襟元等を掴んで手に提げたり、上着を二つ折りにして腕に掛けたりして歩くことがある。このような上着の取り扱いは、片方の手がふさがることになり、行動の自由が妨げられる。そのため、脱いだ上着の取り扱いが簡便となるような提案がなされている。
【０００３】
特許文献１に開示されている「ポータブルハンガー」は、筒型のハンガー本体の外周に上着等の衣類を巻きつけて保持するようになっており、その巻きつけられた衣類が落ちないようにするためのクリップが設けられている。また、ハンガー本体の両端に連結されたベルトを鞄の把手に掛けることにより、鞄とハンガーを別々に持つ必要がないようになっている。
【０００４】
一方、外出の際の服装とは異なる洋服を持ち運ぶために、洋服の型崩れを防止することができるバッグが提案されている。
特許文献２に開示されている「洋服収容バッグ」は、洋服の上着を左右二つ折りにして収容する収容部の一方端縁の内側角部に、上着の肩パッド部分の高さに略等しい高さを有する枠形状のコーナー保護部が設けられている。
【先行技術文献】
【特許文献】
【０００５】
【特許文献１】実用新案登録第３１４５６８７号公報（［要約］を参照）
【特許文献２】特開２００４−２２２８１１号公報（［要約］を参照）
【発明の概要】
【発明が解決しようとする課題】
【０００６】
特許文献１のポータブルハンガーを用いれば、脱いだ上着の取り扱いが行動の自由を妨げるものとはなり難いが、このハンガーは、型崩れしやすい上着の肩パッド部分が保護されるようにはなっていない。そのため、このハンガーをテーブル等の上に置いた場合、肩パッド部分が、ハンガーの下敷きとなったり、他の鞄等の下敷きとなったりして、型崩れが起き易い状態となる。
【０００７】
特許文献２の洋服収容バッグを用いることにより、肩パッド部分の型崩れの虞がない状態で洋服を持ち運ぶことができるが、このバッグは洋服収容を専用とするものであり、外出の途中で脱いだ上着を収容するためのものではない。
【０００８】
本発明は、このような問題に着目してなされたものであり、その目的とするところは、外出の途中で脱いだ上着を、手の束縛なしに、また、型崩れの虞なしに持ち運ぶことができるための洋服の型崩れ防止具を提供することにある。
【課題を解決するための手段】
【０００９】
上記問題を解決するために請求項１に記載の洋服の型崩れ防止具の発明は、洋服の肩パッド付の上着を型崩れ防止状態に保持する防止具であって、左右二つ折りにした上着の身頃及び袖の部分の挿通が可能な幅のスリットが形成され、内部に左右一対の肩パッド部分を収容するための収容空間を有することを特徴とするものである。
【００１０】
請求項１に記載の発明によれば、左右二つ折りにした上着の襟や肩の部分を、収容空間に収容すると共に、その下側の左右が重ねられた身頃及び袖の部分をスリットに挿通することができる。すると、肩に装着されている肩パッドが収容空間内に収容されるので、洋服を汎用バッグに収容した時に、肩パッド部分がバッグ内の他の収容物に押されて型崩れすることが未然に防止される。
【００１１】
請求項２に記載の発明は、請求項１に記載の洋服の型崩れ防止具において、前記スリットは、一端側が開口された有底筒状体の側面に、前記開口側端部から切り欠かれて形成されていることを特徴とするものである。
【００１２】
請求項２に記載の発明によれば、有底筒状体の開口側端部から、左右二つ折りにした上着の襟や肩の部分を収容空間に収容しながら、身頃及び袖の部分をスリットに挿通することができる。そして、スリット部分からはみ出ている部分を筒状体の外周に巻くことができるので、その部分が捩れて皺となることが未然に防止される。また、開口側とは反対側の筒状体の端部は閉じられているので、筒状体の剛性が高められている。従って、筒状体をボール紙等で形成しても、筒状体はその形状を保つことができるので、内部に収容された肩パッド部分が押圧されて型崩れすることが未然に防止される。
【００１３】
請求項３に記載の発明は、請求項１に記載の洋服の型崩れ防止具において、前記スリットは、筒状体を半割とした一対の半割体の一方の端部をヒンジで連結すると共に、前記半割体のそれぞれの他方の端部に凹部を形成し、その凹部が閉じられて形成されたことを特徴とするものである。
【００１４】
請求項３に記載の発明によれば、ヒンジで連結された一対の半割体を開いた状態で、左右二つ折りにした上着の襟や肩の部分を収容空間に収容すると共に、半割体を閉じたときにスリットが形成される凹部に、上着の身頃及び袖の部分を整えながら収めることができる。
【００１５】
請求項４に記載の発明は、請求項１ないし３のうちいずれか一項に記載の洋服の型崩れ防止具において、前記スリットの長手方向の内端には、長手方向の滑りを許容し、長手方向と直交する方向の滑りを防止する滑り防止手段が設けられていることを特徴とするものである。
【００１６】
請求項４に記載の発明によれば、スリットの長手方向の内端に、長手方向の滑りを許容し、長手方向と直交する方向の滑りを防止する滑り防止手段が設けられているので、左右二つ折りにした上着の身頃及び袖の部分をスリットに挿通することをスムーズに行うことができる。また、スリットに挿通された身頃及び袖の部分は、スリットの長手方向と直交する方向に滑り出ることがないので、左右二つ折りにして収容空間に収容された上着の襟や肩の部分は、スリット側に引張られることがなく、収容された時の状態を保つことができる。
【００１７】
請求項５に記載の洋服の型崩れ防止構造を有する鞄の発明は、洋服の肩パッド付の上着を型崩れ防止状態に保持する防止構造を備えた鞄であって、前記鞄の側板の内側に３面からなる第２側板を設け、その第２側板と前記側板とにより、左右一対の肩パッド部分を収容するための収容空間が形成され、また、前記側板には左右二つ折りにした上着の身頃及び袖の部分の挿通が可能な幅のスリットが形成され、前記収容空間と前記スリットとが前記鞄の端側板において開口していることを特徴とするものである。
【００１８】
請求項５に記載の発明によれば、左右二つ折りにした上着の襟や肩の部分を収容空間に収容し、スリットに挿通された身頃や袖の部分より下の裾にかかる部分の上着を垂れ下げ状態とすることができる。従って、鞄内に収容する場合と異なり、スリットからはみ出た上着に皺等が発生することを未然に防止することができる。
【００１９】
請求項６に記載の発明は、請求項５に記載の洋服の型崩れ防止構造を有する鞄において、前記スリットの長手方向の内端には、長手方向の滑りを許容し、長手方向と直交する方向の滑りを防止する滑り防止手段が設けられていることを特徴とするものである。
【００２０】
請求項６に記載の発明によれば、スリットに挿通された身頃及び袖の部分は、スリットの長手方向と直交する方向に滑り出ることがないので、スリットからはみ出た状態の上着を鞄に吊下げながら移動しても、収容空間に収容された上着の襟や肩の部分がスリット側に引張られることを防止することができる。
【発明の効果】
【００２１】
本発明によれば、洋服の上着の肩パッド部分を収容空間に収容することにより、肩パッド部分の型崩れを防止する簡単な構造の洋服の型崩れ防止具を提供することができる。
【図面の簡単な説明】
【００２２】
【図１】本発明の第１実施形態の防止具を示す斜視図。
【図２】第１実施形態の防止具の使用状態を模式的に示し、上着を、（ａ）は二つ折りにした状態、（ｂ）は裏返しにする状態、（ｃ）は防止具に収容した状態を示す正面図。
【図３】本発明の第２実施形態の防止具を示す斜視図。
【図４】本発明の第３実施形態の防止具の全体及び拡大した一部を示す斜視図。
【図５】本発明の第４実施形態の鞄を示す斜視図。
【図６】本発明の変更例を示す断面図。
【図７】本発明の他の変更例を示す断面図。
【発明を実施するための形態】
【００２３】
（第１の実施形態）
以下、本発明を具体化した実施形態を図１及び図２を用いて説明する。
図１に示すように、本実施形態の防止具１は、洋服の上着の肩パッド部分を内部に収容することが可能な収容空間７を有する角筒状体である。この角筒状体の角部はＲ付けされている。また、この防止具１は、有底筒状体としての底面部４を有し、その底面部４と反対側は開口側端部２において開口されている。この底面部４は、収容空間７に収容された肩パッド部分が押圧されないように、防止具１における剛性を高めている。
【００２４】
そして、その開口側端部２から側面部５の長手方向に切り欠かれて、側面部５にスリット３が形成されている。図２に示すように、このスリット３は、少なくとも左右二つ折りにして、その左右のいずれか一方を裏返しながら他方に被せ、裏地１６を表にした上着１０の身頃１３及び袖１４の部分の挿通が可能な幅となっている。
【００２５】
なお、本実施形態の防止具１は、プラスチックフィルムによりラミネートされたボール紙により形成されている。このため、内部に収容された肩パッド部分を、型崩れしない程度に保持するための剛性を有しており、軽量で嵩張らず、環境問題を起こすことなく廃棄することができる。
【００２６】
また、側面部５の開口側端部２の近傍には公知の面状ファスナー６が設けられている。この面状ファスナー６は、スリット３を挟んだ一方の側面部５にその端部を接着固定された鉤部を有するファスナー片６ａと、他方の側面部５に接着固定されたループ部を有するファスナー片６ｂとより構成されている。
【００２７】
防止具１を使用するに当たっては、図２（ａ）に示すように、上着１０を左右二つ折りにして、図２（ｂ）に示すように、その左右のいずれか一方を裏返しながら他方に被せて、裏地１６を表側とした後、襟の部分を折り曲げる等して、図２（ｃ）に示すように、肩パッド部分１１から上着１０の上部を収容空間７に収容する。この収容は、身頃１３及び袖１４の部分を、開口側端部２からスリット３内に挿通させることにより可能となる。肩パッド部分１１を含む上着１０の上部を収容空間７に収容した後、面状ファスナー６によりスリット３の開口側を閉じれば、防止具１を傾けた時、防止具１の外への上着１０の脱落を防止することができる。
【００２８】
そして、スリット３からはみ出た部分の裾１５側を防止具１の外周に巻き付け、全体をカバー８で覆った後、コンパクトになった上着１０を防止具１と共に汎用バッグの中等に収容することができる。このカバー８は、図１に示すように、防止具１の外形状に相似の形状に形成されたＰＰ樹脂シート製の中空筒状体である。
【００２９】
なお、本実施形態において、防止具１に上着を収容する例を示したが、防止具１を、ズボンを収容するために用いることもできる。このとき、ベルトを通したままのズボンのベルトの部分を収容空間７に収容すれば、汎用バッグ等にズボンを収容する際、ベルトの扱いに困ることが防止される。
【００３０】
従って、上記実施形態の防止具１によれば、以下のような効果を得ることができる。
（１）上記実施形態では、底面部４を有する角筒状体の開口側端部２から、左右二つ折りにし、その左右のいずれか一方を裏返しながら他方に被せ、裏地１６を表側にした上着１０の身頃１３及び袖１４の部分をスリット３に挿通しながら、襟や肩パッド部分１１を収容空間７に収容することができるようにした。すると、スリット３からはみ出ている部分を防止具１の外周に巻き付けたものを汎用バッグ等に収容した時、そのはみ出ている部分が捩れて皺となることを未然に防止することができる。また、底面部４により防止具１の剛性が高められているので、防止具１をボール紙等で形成しても、防止具１はその形状を保つことができる。従って、収容空間７に収容された肩パッド部分１１が押圧されて型崩れすることを未然に防止する洋服の型崩れ防止具を提供することができる。
【００３１】
（２）上記実施形態では、開口側端部２の近傍において、スリット３を挟んだ一方の側面部５にファスナー片６ａの端部を接着固定し、他方の側面部５にファスナー片６ｂを接着固定し、スリット３の開口側を面状ファスナー６により閉じることができるようにした。このため、上着１０の肩パッド部分１１等を収容した防止具１を傾けた時、上着１０が防止具１の外へ脱落することを未然に防止することができる。
【００３２】
（３）上記実施形態では、スリット３からはみ出ている部分を防止具１の外周に巻き付け、その上からカバー８で覆うようにした。このため、カバー８で覆われてコンパクトになった上着１０を汎用バッグ等に収容した時、そのはみ出ている部分が捩れて皺となることを未然に防止することができる。
【００３３】
（第２の実施形態）
次に、本発明を具体化した第２実施形態を、第１実施形態と異なる部分を中心に図３を用いて説明する。
【００３４】
図３に示すように、本実施形態の防止具３１は、断面４角形の筒状体を半割にした合成樹脂製の第１半割体３２と第２半割体３３とよりなり、第１半割体３２と第２半割体３３とは、それぞれの一方の端部が合成樹脂シート製のヒンジ部３４により回動自在に連結されている。第１半割体３２の他方の端部は、左右の端部３２ａ及び端部３２ｂの間に凹部３２ｃが形成され、第２半割体３３の他方の端部は、左右の端部３３ａ及び端部３３ｂの間に凹部３３ｃが形成されている。端部３２ａが端部３３ａに閉合し、端部３２ｂが端部３３ｂに閉合するように、第１半割体３２と第２半割体３３とが閉じ合わされたとき、この凹部３２ｃと凹部３３ｃとにより、上着１０の身頃１３及び袖１４の部分の挿通が可能な幅を有するスリットが形成される。
【００３５】
また、端部３２ａにはファスナー片６ａの端部が固定され、端部３３ａにはファスナー片６ｂが固定され、端部３２ａと端部３３ａとの閉合状態を保つことができるようになっている。同様に、端部３２ｂにはファスナー片６ａの端部が固定され、端部３３ｂにはファスナー片６ｂが固定され、端部３２ｂと端部３３ｂとの閉合状態を保つことができるようになっている。このように、面状ファスナー６により、第１半割体３２と第２半割体３３とが閉合した状態で保持されている時、その内側は上着１０の襟や肩パッド部分１１を収容可能な収容空間３７となっている。
【００３６】
この防止具３１を使用するに際しては、面状ファスナー６を外し、第２半割体３３に対して第１半割体３２を回転して開いた後、第２半割体３３の内部に上着１０の襟及び肩パッド部分１１等を配置し、凹部３３ｃ及び凹部３２ｃの間に身頃１３及び袖１４の部分を挿通するようにして、第２半割体３３に対して第１半割体３２を閉じる。その後、左右の面状ファスナー６を閉じれば、上着１０の上部が防止具３１内へ収容された状態を保持することができる。
【００３７】
なお、第１半割体３２及び第２半割体３３を形成する合成樹脂としては、汎用の合成樹脂の中から適宜選択することができるが、合成樹脂シート製のヒンジ部３４の材質と共に、ＰＰ樹脂を選択すれば、第１半割体３２及び第２半割体３３に対してヒンジ部３４を熱溶着により固定とすることができるので好ましい。
【００３８】
そして、この第２実施形態においては、第１実施形態における効果に加えて、以下の効果を得ることができる。
（４）上記実施形態では、ヒンジ部３４で連結された一対の第１半割体３２と第２半割体３３とを開いた状態で、左右二つ折りにした上着１０の襟や肩パッド部分１１を収容空間３７に収容すると共に、凹部３２ｃと凹部３３ｃとにより形成されるスリットに上着１０の身頃１３及び袖１４の部分を挿通することができるようにした。従って、身頃１３や袖１４の部分を整えながら凹部３２ｃに収めることができる。
【００３９】
（第３の実施形態）
次に、本発明を具体化した第３実施形態を、第１及び第２実施形態と異なる部分を中心に図４を用いて説明する。
【００４０】
図４に示すように、本実施形態の滑り防止手段としての滑止具４０は、断面略Ｃ字状の本体部４２が、スリット３の長さと略同一の長さに延長され、スリット３の内端である上下の側面部５の端部５ａのそれぞれを覆うように、２本が装着されている。そして、本体部４２の外周面には、６本の断面３角形の突条部４１が長手方向に沿って等間隔に形成されている。このため、突条部４１は、開口側端部２からスリット３に上着１０の身頃１３及び袖１４の部分を滑り込ませることに対しては何らの抵抗とはならず、上着１０をスリット３の長手方向と直交する方向に引き出す力に対しては抵抗力として作用する。
【００４１】
従って、この滑止具４０は、長手方向には滑り性を有することが好ましいため、滑止具４０を形成する材質は、自己潤滑性を有する合成樹脂、例えばＰＥ樹脂等であることが価格の点からも好ましい。
【００４２】
そして、この第３実施形態においては、第１及び第２実施形態における効果に加えて、以下の効果を得ることができる。
（５）上記実施形態では、本体部４２の外周面に６本の断面３角形の突条部４１が長手方向に沿って等間隔に形成された滑止具４０の２本を、上下の側面部５の端部５ａのそれぞれを覆うように、スリット３の内端に装着した。このため、左右二つ折りにした上着１０の身頃１３及び袖１４の部分をスリット３に挿通することをスムーズに行うことができるばかりか、身頃１３及び袖１４の部分は、スリット３の長手方向と直交する方向に滑り出ることが防止される。従って、左右二つ折りにした上で収容空間７、３７に収容された上着１０の襟や肩パッド部分１１は、収容された始めの状態を保つことができるため、型崩れすることを未然に防止することができる。
【００４３】
（第４の実施形態）
次に、本発明を具体化した第４実施形態を、第１〜第３実施形態と異なる部分を中心に図５を用いて説明する。
【００４４】
図５に示すように、本実施形態の鞄５０の側板５１の内側には、上着１０を型崩れ防止状態に保持する防止構造として、３面の板状体が互いに直交する向きに配置された形状の第２側板５２が設けられ、その内側と側板５１とにより収容空間５３が形成されている。収容空間５３は端側板５９の開口側端部５５において開口している。また、側板５１にはスリット５４が形成され、開口側端部５５において開口している。スリット５４の開口側端部５５の反対側に位置する端部は、端側板６０に至らない位置に配置されている。スリット５４の開口側端部５５側には、スリット５４を閉じることができるように面状ファスナー６が設けられている。
【００４５】
本実施形態では、開口側端部５５を開閉するカバー５７が設けられている。このカバー５７は、長方形の布製シートで形成され、一方の端部５７ａが端側板５９に固定され、他方の端部をめくり上げたり閉じたりすることができるようになっている。また、他方の端部には、閉じたカバー５７を止めるためのスナップボタン５８が２ヶ所に設けられている。
【００４６】
この鞄５０の防止構造を使用するに際しては、スナップボタン５８を外してカバー５７をめくり上げ、開口側端部５５を露出させる。そして、上着１０を左右二つ折りにして、その左右のいずれか一方を裏返しながら他方に被せた後、身頃１３及び袖１４の部分を、開口側端部５５側からスリット５４内に挿通させながら、襟の部分を折り曲げる等して、肩パッド部分１１を含む上着１０の上部を収容空間５３に収容する。そして、面状ファスナー６によりスリット５４の開口側を閉じ、カバー５７を閉じてスナップボタン５８で止める。このとき、スリット５４からはみ出た上着１０の部分は、垂れ下がり状態のままとする。
【００４７】
このように、鞄５０に一部を収容した上着１０を持ち運びすれば、肩パッド部分１１の型崩れを防止することができると共に、スリット５４からはみ出た上着１０の部分を自然状態に保持できる。そのため、皺の発生が防止される。また、鞄５０を前後にゆすりながら携行しても、カバー５７及び面状ファスナー６により、収容空間５３から上着１０が滑り出すことを防止することができる。
【００４８】
そして、この第４実施形態においては、第１〜第３実施形態における効果に加えて、以下の効果を得ることができる。
（６）上記実施形態では、左右二つ折りにした上着１０の襟や肩パッド部分１１を収容空間５３に収容し、スリット５４に挿通された身頃１３や袖１４の部分より下の裾１５にかかる部分の上着１０を、垂れ下げ状態として携行できるようにした。従って、汎用鞄の中に収容する場合と異なり、肩パッド部分１１の型崩れを防止することができると共に、スリット５４からはみ出た上着１０に皺等が発生することを未然に防止することができる。
【００４９】
（変更例）
なお、上記実施形態は、次のように変更して具体化することも可能である。
・  防止具１を、底面部４を有する有底筒状体として、開口側端部２から底面部４に至る途中までの側面部５にスリット３を設けたが、防止具１を無底筒状体として両端を開口し、側面部５の全長に亘ってスリット３を設けること。
・  防止具１、３１の形状を角筒状体としたが、図６に示すように、断面形状が長円の筒状体からなる防止具２０及びカバー２１とすること。或いは、図７に示すように、丸筒状体の防止具２５及びカバー２６とすること。
・  防止具１の材質をボール紙としたが、ＰＰ樹脂、ＰＥ樹脂等の公知の合成樹脂を用いること。
・  防止具３１の材質を合成樹脂としたが、ボール紙とすること。
・  ヒンジ部３４を合成樹脂シート製としたが、中央に薄肉部を設けた帯板状のいわゆるＰＰヒンジとすること。
・  面状ファスナー６によりスリット３、５４の開口側を閉じるようにしたが、スナップボタン等の公知の係止具を備えた帯状体を用いること。
・  カバー８をＰＰ樹脂シート製の中空筒状体としたが、他の公知の樹脂製シート、例えば、ＰＥ樹脂、ＰＥＴ樹脂等を用いること。或いは、織布又は不織布の中空筒状体とすること。
【符号の説明】
【００５０】
１，２０，２５，３１…防止具、２，５５…開口側端部、３，５４…スリット、５ａ，３２ａ，３２ｂ，３３ａ，３３ｂ，５７ａ…端部、７，３７，５３…収容空間、１０…上着、１１…肩パッド部分、１３…身頃、１４…袖、３２ｃ，３３ｃ…凹部、５０…鞄、５１…側板、５２…第２側板、５９，６０…端側板。
【図１】
2010194126.tif 000003
【図２】
2010194126.tif 000004
【図３】
2010194126.tif 000005
【図４】
2010194126.tif 000006
【図５】
2010194126.tif 000007
【図６】
2010194126.tif 000008
【図７】
2010194126.tif 000009